(57)【要約】【課題】ユーザの嗜好に適した音楽データを選択することができる画像音声編集方法を提供する。【解決手段】画像音声編集システムでは、ユーザは、画像データにＢＧＭを添付しようと欲する場合、画像データをサーバ１０１にアップロードする。サーバ１０１は、ユーザが利用可能である音楽候補リストと共に、ネットワーク上のコミュニティに画像を公開する。コミュニティの参加者は、公開された画像のＢＧＭに相応しい音楽データを、音楽候補リストから選択し、それに対して投票を行う。ユーザは、投票結果を受け取り、その多数決の結果に基づき、画像データのＢＧＭに相応しい音楽データを決定する。さらに、決定した音楽データをダウンロードして、画像データに、その音楽データを添付する編集作業を行う。【選択図】図２
2009296540.tif 000002
【特許請求の範囲】
【請求項１】
画像データを配信する情報処理装置と、前記情報処理装置と通信回線を介して接続される複数の端末とからなる画像音声編集システムにおいて、
前記複数の端末のうち、特定の端末が前記情報処理装置に画像データを送信する画像送信ステップと、
前記情報処理装置が、前記送信された画像データに音楽候補リストを付加して前記複数の端末の少なくとも一部の各端末に配信する配信ステップと、
前記各端末が、前記音楽候補リストに登録された音楽データに対して行われた投票結果を前記情報処理装置に送信する投票送信ステップと、
前記情報処理装置が、前記各端末からの投票結果を集約した情報を前記特定の端末に送信する結果送信ステップと、
前記特定の端末が、前記投票結果を集約した情報に基づいて決定された音楽データを前記画像データに関連付ける編集を行う編集ステップとを有することを特徴とする画像音声編集方法。
【請求項２】
前記音楽候補リストは、前記情報処理装置が管理している音楽データに関するものであり、
前記情報処理装置は、前記音楽候補リストを選定する選定ステップと、前記選定された音楽候補リストを前記画像データに結合する結合ステップとを有し、前記配信ステップにおいて、前記音楽候補リストが結合された画像データを配信することを特徴とする請求項１記載の画像音声編集方法。
【請求項３】
前記特定の端末は、前記編集ステップにおいて、前記画像データに関連付ける音楽データを前記情報処理装置に要求する要求ステップと、前記情報処理装置から前記音楽データを受信する受信ステップとを有することを特徴とする請求項２記載の画像音声編集方法。
【請求項４】
前記音楽候補リストは、前記特定の端末のユーザが所有している音楽データに関するものであり、
前記特定の端末は、前記音楽候補リストを選定する選定ステップを有し、前記画像送信ステップにおいて、前記画像データおよび前記音楽候補リストを前記情報処理装置に送信することを特徴とする請求項１記載の画像音声編集方法。
【請求項５】
前記送信された画像データは、画像サイズを縮小した動画像であることを特徴とする請求項１記載の画像音声編集方法。
【請求項６】
前記音楽候補リストには、前記音楽データのダイジェストデータが添付されていることを特徴とする請求項１記載の画像音声編集方法。
【請求項７】
前記情報処理装置は、前記結果送信ステップにおいて、前記投票結果を集約した情報と、前記投票結果から特定された音楽データとを前記特定の端末に送信することを特徴とする請求項１記載の画像音声編集方法。
【請求項８】
前記特定の端末は、前記編集ステップにおいて、前記各端末からの投票結果を集約した情報に基づき、前記投票結果を集計し、当該集計した集計結果に基づき、前記編集を行うことを特徴とする請求項１記載の画像音声編集方法。
【請求項９】
前記特定の端末は、前記編集ステップにおいて、前記投票結果に基づき、自動的に前記音楽データを決定し、前記決定された音楽データを前記画像データに関連付ける編集を行うことを特徴とする請求項１記載の画像音声編集方法。
【請求項１０】
画像データを配信する情報処理装置と、前記情報処理装置と通信回線を介して接続される複数の端末とからなる画像音声編集システムにおいて、
前記複数の端末のうち、特定の端末は、前記情報処理装置に画像データを送信する画像送信手段と、投票結果に基づいて決定された音楽データを前記画像データに関連付ける編集を行う編集手段とを有し、
前記情報処理装置は、前記送信された画像データに音楽候補リストを付加して前記複数の端末の少なくとも一部の各端末に配信する配信手段と、前記各端末からの投票結果を前記特定の端末に送信する結果送信手段とを有し、
前記各端末は、前記音楽候補リストに登録された音楽データに対して行われた投票結果を集約した情報を前記情報処理装置に送信する投票送信手段を有することを特徴とする画像音声編集システム。
【請求項１１】
情報処理装置から受信した情報に基づいて画像データに関連付ける音楽データを選択する画像音声編集装置において、
前記情報処理装置に前記画像データを送信する画像送信手段と、
前記情報処理装置によって前記画像データに音楽候補リストが付加されて複数の端末に配信され、前記配信された各端末において前記音楽候補リストに登録された音楽データに対して行われた投票結果を集約した情報を前記情報処理装置から受信する受信手段と、
前記投票結果を集約した情報に基づいて決定される音楽データを前記画像データに関連付ける編集を行う編集手段とを有することを特徴とする画像音声編集装置。
【発明の詳細な説明】
【技術分野】
【０００１】
本発明は、画像データに音楽データを関連付ける画像音声編集方法、画像音声編集システム及び画像音声編集装置に関する。
【背景技術】
【０００２】
従来、ビデオカメラ等を利用して、動画像の撮影が行われている。こうした動画像には、同時録音された音声データが多重化されていることが通常である。しかしながら、ユーザが撮影した直後の動画像データでは、音声データはたまたま録音されたものにすぎず、画像内容にそぐわないものや、無関係な音声データである場合も多い。特に、音声を発しない風景などを撮影した画像では、音声は風きり音などの雑音ばかりである場合も多い。このような場合、同時録音された音声データに代えて、音楽データなどを添付し、ＢＧＭとする編集作業がよく行われている。さらに、この作業を自動化する技術が知られている（特許文献１、特許文献２参照）。
【０００３】
一方、近年、画像データや音声データの圧縮符号化技術、さらにはインターネットなどの通信技術の発達に伴い、ネットワークを介して、画像データや音楽データを公開し、配信するシステムが発達している。特に最近では、動画像データも公開、配信することが容易になってきた。特許文献３では、このように公開された画像データや音楽データに対し、画像と音楽を組み合わせて配信・再生する技術が示されている。
【特許文献１】特開２００４−２２１６６６号公報
【特許文献２】特開２００７−１１０６５９号公報
【特許文献３】特開２００７−０３３５１２号公報
【発明の開示】
【発明が解決しようとする課題】
【０００４】
このように、ユーザ自身が撮影した画像であっても、無意味な音声データが多重化されている画像では、視聴する場合に退屈なものであり、ＢＧＭを添付する編集を行うことは、これを改善するために効果的である。しかしながら、実際にユーザ自身が多数の音楽データの中から、適切なＢＧＭを選定し、添付することは、煩雑であり、困難であった。これに対し、特許文献１では撮影環境状況から、特許文献２では画像データのイメージから、それぞれＢＧＭを選択しているが、選択される楽曲が画一的になったり、機械的に選択されるので、必ずしもユーザの嗜好と一致するものではなかった。
【０００５】
なお、特許文献３は画像と音楽を組み合わせて配信・再生する技術に関するものであり、画像や音声の編集に関するものではない。
【０００６】
そこで、本発明は、ユーザの嗜好に適した音楽データを選択することができる画像音声編集方法、画像音声編集システム及び画像音声編集装置を提供することを目的とする。
【課題を解決するための手段】
【０００７】
上記目的を達成するために、本発明の画像音声編集方法は、画像データを配信する情報処理装置と、前記情報処理装置と通信回線を介して接続される複数の端末とからなる画像音声編集システムにおいて、前記複数の端末のうち、特定の端末が前記情報処理装置に画像データを送信する画像送信ステップと、前記情報処理装置が、前記送信された画像データに音楽候補リストを付加して前記複数の端末の少なくとも一部の各端末に配信する配信ステップと、前記各端末が、前記音楽候補リストに登録された音楽データに対して行われた投票結果を前記情報処理装置に送信する投票送信ステップと、前記情報処理装置が、前記各端末からの投票結果を集約した情報を前記特定の端末に送信する結果送信ステップと、前記特定の端末が、前記投票結果を集約した情報に基づいて決定された音楽データを前記画像データに関連付ける編集を行う編集ステップとを有することを特徴とする。
【０００８】
本発明の画像音声編集システムは、画像データを配信する情報処理装置と、前記情報処理装置と通信回線を介して接続される複数の端末とからなる画像音声編集システムにおいて、前記複数の端末のうち、特定の端末は、前記情報処理装置に画像データを送信する画像送信手段と、投票結果に基づいて決定された音楽データを前記画像データに関連付ける編集を行う編集手段とを有し、前記情報処理装置は、前記送信された画像データに音楽候補リストを付加して前記複数の端末の少なくとも一部の各端末に配信する配信手段と、前記各端末からの投票結果を前記特定の端末に送信する結果送信手段とを有し、前記各端末は、前記音楽候補リストに登録された音楽データに対して行われた投票結果を集約した情報を前記情報処理装置に送信する投票送信手段を有することを特徴とする。
【０００９】
本発明の画像音声編集装置は、情報処理装置から受信した情報に基づいて画像データに関連付ける音楽データを選択する画像音声編集装置において、前記情報処理装置に前記画像データを送信する画像送信手段と、前記情報処理装置によって前記画像データに音楽候補リストが付加されて複数の端末に配信され、前記配信された各端末において前記音楽候補リストに登録された音楽データに対して行われた投票結果を集約した情報を前記情報処理装置から受信する受信手段と、前記投票結果を集約した情報に基づいて決定される音楽データを前記画像データに関連付ける編集を行う編集手段とを有することを特徴とする。
【発明の効果】
【００１０】
本発明によれば、画像データに適した音楽データを、情報処理装置に接続された複数の端末の各ユーザによる投票結果をもとに選択する。これにより、ユーザの嗜好に適した音楽データを選択することができる。
【発明を実施するための最良の形態】
【００１１】
本発明の画像音声編集方法、画像音声編集システム及び画像音声編集装置の実施の形態について図面を参照しながら説明する。
【００１２】
［第１の実施形態］
図１は第１の実施形態における画像音声編集システムの全体構成を示す図である。この画像音声編集システムは、情報処理装置となるサーバ１０１および複数の端末１０２、１０４、１０５、１０６がネットワーク１５０（通信回線）に接続された構成を有する。
【００１３】
サーバ１０１は、音声（音楽）データ１０７および音声データのリスト（音楽リスト）１０８を有するとともに、画像配信部１０９、音楽配信部１１０および投票集計部１１１を有する。
【００１４】
画像音声編集装置となる端末１０２は、この画像音声編集システムを利用するユーザ側の端末であり、編集対象となる画像データ１１２を有する。一方、端末１０４、１０５、１０６は、ネットワーク１５０内に設けられたコミュニティ１０３に参加している参加者の端末である。コミュニティ参加者の端末１０４、１０５、１０６には、それぞれ閲覧機能１１３、１１５、１１７および投票機能１１４、１１６、１１８が設けられている。
【００１５】
ここでは、ユーザ側の端末１０２をユーザ端末（特定の端末）と呼び、参加者側の端末１０４、１０５、１０６を参加者端末と呼ぶことにする。なお、ユーザ端末がコミュニティに参加して参加者端末を兼ねてもよいことは勿論である。また、サーバおよび各端末は汎用のコンピュータで構成することが可能である。
【００１６】
上記構成を有する画像音声編集システムによる編集手順について説明する。図２は画像音声編集手順を示すフローチャートである。このフローチャートには、ユーザ端末１０２の操作手順、サーバ１０１の動作手順、およびコミュニティ参加者の一人の参加者端末１０４、１０５、１０６の操作手順が表されている。
【００１７】
まず、ユーザはアップロードする画像データを用意する（ステップＵ１）。このアップロードされる画像データは、ユーザ自身がビデオカメラ等を利用して自ら撮影した動画像の画像データ、もしくは編集してＢＧＭを添付する権利を持つ画像データである。すなわち、ステップＵ１において、ユーザ端末１０２は、アップロードされる画像データを入力し、記憶媒体に格納しておく。
【００１８】
そして、ユーザ端末１０２は、ユーザの指示に従い、コミュニティサイトに接続し、画像データをアップロードする（ステップＵ２）。その際、ユーザはＢＧＭとなる音楽の希望を添付してもよい。図３は画像データをアップロードする用意が整った場合のユーザ端末の表示画面を示す図である。ウインド３０１には、ユーザ側からアップロードされる各種データが表示される。このウインドの中には、ユーザが用意した画像データ１１２に基づく画像３０２、すなわちこれからアップロードする予定の画像データが表示される。また、必要に応じて、操作部３０３に設けられた操作ボタンなどで再生や早送り等を行い、画像内容を確認することができる。さらに、オーナーコメント３０４として、ユーザの希望を画像データに添付することもできる。このように、ユーザは、自身がアップロードする画像データを画面で確認し、希望内容を記述し、送信ボタン３０５をクリック操作することにより、ステップＵ２において、ユーザ端末１０２はサーバ１０１に画像データをアップロードする。この処理は画像送信ステップに相当する。
【００１９】
サーバ１０１は、アップロードされた画像データを受信し、保存すると、この画像データに添付可能である音楽データを選定する（ステップＳ１）。本実施形態では、サーバ側に、音声データおよび音声データのリストが登録されている。サーバ１０１は、画像データをアップロードしたユーザが利用可能な音楽データを選定する。すなわち、サーバ１０１は、サーバ側が管理する音楽データのうち、自由に利用可能な音楽データ、もしくはユーザが利用可能な権利を持つまたは権利を持つ予定である音楽データを選定し、その選定した音楽データの音楽候補リストを作成する。ここで、利用可能な権利とは、音楽データをダウンロードして、画像データに添付してよい権利を意味する。
【００２０】
続いて、サーバ１０１は、アップロードされた画像データに、選定した音楽候補リストを付加し、それをコミュニティに公開する（ステップＳ２）。コミュニティのサーバでは、アップロードされた各画像データにそれぞれ音楽候補リストが連結（結合）された状態でホームページ等により公開され、アクセスしてきたユーザに画像データと音楽候補リストとが配信される。このとき、公開した旨を、コミュニティの各参加者に通知してもよい。
【００２１】
コミュニティの参加者は、参加者端末１０４、１０５、１０６を用い、公開された画像データを閲覧する（ステップＰ１）。すなわち、ステップＰ１において、参加者端末１０４、１０５、１０６は、公開された画像データが閲覧可能となるように、この画像データを画面に表示する。図４は画像データと音楽候補リストが表示された参加者端末の表示画面を示す図である。ウインド４０１は、アップロードされた画像データとオーナーコメント等を表示しており、図３のユーザ端末とほぼ同等の表示内容を有する。ウインド４０２は、この画像データのＢＧＭとなり得る音楽候補リストを表示する。
【００２２】
このウインド４０２には、音楽候補リストの内容として、曲名４０３、アーチスト名４０４、演奏時間４０５等が表示される。音楽候補リストが多い場合、スクロールバー４０６を利用し、音楽候補リストの一部を表示し、スクロールバーをスライドさせることで、音楽候補リストの全てが見られる。投票ボタン４０７は、コミュニティの参加者が音楽候補リストから音楽を選択して投票する際に使用される。
【００２３】
コミュニティの参加者は、ユーザがアップロードした画像データの内容を見て、さらにオーナーコメントの内容を参酌し、それに相応しい音楽データを、音楽候補リストの中から選び出し、その１つの音楽データについて投票を行う。
【００２４】
図５は音楽候補リストの中から１つの音楽データを選び出して投票する際の参加者端末の表示画面を示す図である。この画面では、参加者が、音楽候補リストの中から音楽データ５０１を選択する様子が示される。参加者は、音楽候補リストに登録された音楽データ５０１をマウスのクリック操作などで選択する。この結果、音楽データ５０１は反転表示される。この後、参加者は、投票ボタン４０７をクリック操作することで、参加者端末１０４、１０５、１０６がサーバ１０１側に選択結果（投票結果）を知らせる（ステップＰ２、投票送信ステップに相当）。すなわち、参加者がＢＧＭに相応しいと思った音楽データに投票する。
【００２５】
サーバ１０１は、参加者端末１０４、１０５、１０６から音楽データの選択結果を受け取ると、コミュニティの全ての参加者からの投票結果を集計する（ステップＳ３）。そして、サーバ１０１は、参加者からの全ての投票が終了すると、あるいは一定の投票期間が経過すると、投票完了として、その投票結果を集約した情報をユーザ端末１０２側に送付する（ステップＳ４、結果送信ステップに相当）。
【００２６】
ユーザ端末１０２は、投票結果を受領すると、表示画面に投票結果を表示する。図６は受領した投票結果を表示した場合のユーザ端末１０２の表示画面を示す図である。ウインド３０１には、前述したように、アップロードした画像データとオーナーコメント等が表示される。ウインド６０２は、音楽候補リストと、コミュニティの参加者からの投票結果を表示する。すなわち、このウインド６０２は、音楽候補リストのウインド４０２に対し、投票結果欄６０３が加わったものである。図６では、投票結果欄に、投票数の表示が行われる。さらに、その中の最も高い得票の音楽リストに対し、印６０４（図では“＊”）が表示される。ユーザは、この印６０４により、音楽候補リスト中で、最も投票数が多かった音楽データがいずれであるかを容易に知ることができる。
【００２７】
なお、この投票結果については、音楽候補リストを投票結果順に並べて表示してもよい。図７は音楽候補リストが投票結果順に並べられた場合のユーザ端末１０２の表示画面を示す図である。この並び替えは、サーバ側もしくはユーザ端末側で行うことが可能である。
【００２８】
ユーザは、投票結果を見て、自分の画像データに相応しいＢＧＭ（音楽データ）を、音楽候補リストの中から決定する（ステップＵ３）。最も簡易な決定のし方は、最も高い得票を得た音楽データを選択することであるが、得票数が多い候補の中から最終的にユーザが選択するようにしてもよい。このように、ステップＵ３において、ユーザ端末１０２は、ユーザによって選択された音楽データを、画像データに添付する音楽データとして決定する。なお、音楽候補リストの中から音楽データを決定する際、ユーザ端末が自動的に決定するようにしてもよい。この決定のし方は、上記ユーザが決定する場合と同様でもよい。
【００２９】
そして、ユーザ端末１０２は、ユーザの指示に従って、決定した音楽データを配信するように、サーバ１０１側に配信要求を送る（ステップＵ４）。このとき、決定した音楽データについて、ユーザが利用可能な権利を持っていない場合、その音楽データが利用可能となるように手続きを行う。
【００３０】
サーバ１０１は、ユーザの配信要求に基づき、決定した音楽データを、ユーザ端末１０２にダウンロードさせる（ステップＳ５）。これにより、サーバ１０１の処理が終了する。
【００３１】
最後に、ユーザ端末１０２は、ユーザの指示に従い、ダウンロードした音楽データを、自分の画像データのＢＧＭとして、添付するように編集する（ステップＵ５）。この場合の編集とは、撮影時に録音した音声データをダウンロードした音楽データに差し替えることである。あるいは、撮影時に録音した音声データとダウンロードした音楽データを混合（ミックス）して新たな音声データとすることである。さらには、ダウンロードした音楽データを別トラックに記録し、再生時に混合（ミックス）して出力できるようにすることである。このように、音楽データを画像データに関連付ける編集が行われる。
【００３２】
第１の実施形態における画像音声編集システムでは、ユーザは、画像データにＢＧＭを添付しようと欲する場合、画像データをサーバ１０１にアップロードする。サーバ１０１は、ユーザが利用可能である音楽候補リストと共に、ネットワーク上のコミュニティに画像を公開する。コミュニティの参加者は、公開された画像のＢＧＭに相応しい音楽データを、音楽候補リストから選択し、それに対して投票を行う。ユーザは、投票結果を受け取り、その多数決の結果に基づき、画像データのＢＧＭに相応しい音楽データを決定する。さらに、決定した音楽データをダウンロードして、画像データに、その音楽データを添付するように編集作業を行う。
【００３３】
これにより、ユーザは、画像データに、ＢＧＭとして相応しい音楽データを決定する際、コミュニティ参加者からの意見を参考にすることができ、容易に判断を下せるようになる。これは、ユーザが全ての音楽データを視聴してＢＧＭを決定する場合に比べて、容易である。また、オーナーコメントを添付し、それをコミュニティ参加者が参酌することで、機械的に選択した場合よりも、よりユーザの嗜好に適したＢＧＭを決定することができる。このように、ユーザの嗜好に適した音楽データを選択することができる。
【００３４】
なお、本実施形態では、アップロードする画像データとして、画像データ全体をアップロードする場合を示したが、画像サイズを縮小した動画像（プレビュー画像）とすることも可能である。また、ＢＧＭを添付する範囲は、動画像データ全体でなく、一部のシーン、あるいは一部のカットであってもよい。また、音楽候補リストには、音楽データの一部分を抜き出した音声ダイジェスト（ダイジェストデータ）を添付しておくことも可能である。
【００３５】
また、本実施形態では、サーバ側で投票結果を集計することとしたが、サーバは投票結果を単にユーザ端末に送信するだけとし、投票結果の集計はユーザ側の端末で行われるようにしてもよい。そして、ユーザ端末は自身で投票結果を集計した集計結果に基づいて編集を行う。
【００３６】
また、本実施形態では、ネットワーク上の１つのサーバが、音楽（音声）データと、音楽（音声）配信部、画像配信部などを持つ構成を示したが、音楽データと画像配信部などが別々の装置で分散されて配置されていてもよい。
【００３７】
また、本実施形態では、ユーザ端末などの画面の選択ボタンや、参加者端末の投票ボタンなどを用いて説明したが、これらのボタンは説明を簡素にするためのものであった。選択や投票の動作を行う際、それぞれメニュー表示やマウス動作などの他の動作で行われるようにしてもよい。また、本実施形態では、サーバに対するログイン、ダウンロードやアップロードの手続きは、通常の手順と同様である。
【００３８】
［第２の実施形態］
図８は第２の実施形態における画像音声編集システムの全体構成を示す図である。前記第１の実施形態と同一の構成要素については同一の符号が付されている。この画像音声編集システムは、サーバ２０１、および端末２０２、１０４、１０５、１０６がネットワーク１５０に接続された構成を有する。
【００３９】
サーバ２０１は画像配信部１０９および投票集計部１１１を有する。ユーザ端末２０２は、この画像音声編集システムを利用するユーザ側の端末であり、編集対象となる画像データ１１２、音声（音楽）データ１０７および音楽データのリスト（音楽リスト）１０８を有する。参加者端末１０４、１０５、１０６は、前記第１の実施形態と同様、ネットワーク１５０内に設けられたコミュニティ１０３に参加している参加者の端末である。コミュニティ参加者の端末１０４、１０５、１０６には、それぞれ閲覧機能１１３、１１５、１１７および投票機能１１４、１１６、１１８が設けられている。
【００４０】
このように、第２の実施形態では、第１の実施形態においてサーバ側に存在していた音楽データと音楽候補リストが、既にユーザ端末側に存在している。
【００４１】
上記構成を有する画像音声編集システムによる編集手順について説明する。図９は画像音声編集手順を示すフローチャートである。このフローチャートには、ユーザ端末２０２の操作手順、サーバ１０１の動作手順、およびコミュニティ参加者の一人の参加者端末１０４、１０５、１０６の操作手順が表されている。
【００４２】
まず、ユーザはアップロードする画像データを用意する（ステップＵ１）。このアップロードされる画像データは、ユーザ自身がビデオカメラ等を利用して自ら撮影した画像データ、もしくは編集してＢＧＭを添付する権利を持つ画像データである。すなわち、ステップＵ１において、ユーザ端末２０２は、アップロードされる画像データを入力し、記憶媒体に格納しておく。
【００４３】
さらに、ユーザ端末２０２は、ユーザの指示に従い、自身が所有する音楽データの中から、この画像データに添付可能である音楽データを選定する（ステップＵ１Ａ）。本実施形態では、ユーザ端末側に、音楽データおよび音楽データの音楽候補リストが用意されている。ユーザは、自身の持つ音楽データのうち、自由に利用可能な音楽データ、もしくはユーザが利用可能な権利を持つまたは権利を持つ予定である音楽データを選定し、その選定した音楽データの音楽候補リストを作成する。ここで、利用可能な権利とは、音楽データを画像データに添付してよい権利を意味する。
【００４４】
ユーザ端末２０２は、ユーザの指示に従い、コミュニティサイトに接続し、画像データおよび音楽候補リストをサーバ２０１にアップロードする（ステップＵ２）。その際、ユーザは、ＢＧＭとする音楽の希望を添付してもよい。図１０は画像データをアップロードする用意が整った場合のユーザ端末の表示画面を示す図である。ウインド３０１には、前記第１の実施形態と同様、ユーザ側からアップロードされる各種データが表示される。ウインド７０１は、この画像データのＢＧＭとなり得る音楽候補リストを表示するウインドである。表示内容は、前記第１の実施形態の音楽候補リストのウインド４０２とほぼ同等である。ユーザは、自身がアップロードする画像データを画面で確認し、ＢＧＭとする音楽の希望内容を記述し、ＢＧＭとなり得る音楽候補リストを選定すると、送信ボタン３０５をクリック操作し、サーバ２０１に画像データおよび音楽候補リストをアップロードする。
【００４５】
サーバ２０１は、アップロードされた画像データおよび選定した音楽候補リストを、コミュニティ１０３側に公開する（ステップＳ２Ａ）。このとき、公開した旨を、コミュニティの各参加者に通知するようにしてもよい。
【００４６】
この後、ステップＰ１、Ｐ２、Ｓ３、Ｓ４におけるコミュニティの参加者（参加者端末）とサーバとの間の動作は、前記第１の実施形態と同様であるので、その説明を省略する。
【００４７】
ユーザは、投票結果を見て、自分の画像データに相応しいＢＧＭを、音楽候補リストの中から決定する（ステップＵ３）。すなわち、ステップＵ３において、ユーザ端末２０２は、ユーザによって選択された音楽データを、画像データに添付する音楽データとして決定する。なお、音楽候補リストの中から音楽データを決定する際、ユーザ端末が自動的に決定するようにしてもよい。この決定のし方は、前記第１の実施形態と同様、ユーザが決定する場合と同様でもよい。
【００４８】
そして、最後に、ユーザ端末２０２は、ユーザの指示に従い、自身の持つ音楽データの中から、ＢＧＭとして決定した音楽データを、自分の画像データのＢＧＭとして、添付するように編集する（ステップＵ５）。
【００４９】
第２の実施形態の画像音声編集システムでは、ユーザは、画像データにＢＧＭを添付しようと欲する場合、画像データと自身が持つ音楽データのうち、利用可能である音楽候補リストをサーバ２０１にアップロードし、ネットワーク上のコミュニティに公開する。コミュニティの参加者は、公開した画像のＢＧＭに相応しい音楽データを、音楽候補リストから選択し、それに対して投票を行う。ユーザは、サーバ２０１から投票結果を受け取り、その多数決の結果に基づき、画像データのＢＧＭに相応しい音楽データを決定し、画像データに、その音楽データを添付する編集作業を行う。
【００５０】
これにより、ユーザは、画像データに、ＢＧＭとして相応しい音楽データを決定する際、コミュニティの参加者からの意見を参考にすることができ、容易に判断を下せるようになる。これは、ユーザが全ての音楽データを視聴してＢＧＭを決定する場合に比べて、容易である。また、オーナーコメントを添付し、それをコミュニティの参加者が参酌することで、機械的に選択した場合よりも、よりユーザの嗜好に適したＢＧＭを決定することができる。このように、ユーザの嗜好に適した音楽データを選択することができる。
【００５１】
なお、本実施形態では、アップロードする画像データとして、画像データ全体をアップロードする場合を示したが、アップロードする画像データを、画像サイズを縮小したプレビュー画像とすることも可能である。
【００５２】
また、ＢＧＭを添付する範囲は、動画像データ全体でなく、一部のシーンあるいは一部のカットであってもよい。また、音楽候補リストには、音楽データの一部分を抜き出した音声ダイジェスト（ダイジェストデータ）を添付しておくことも可能である。
【００５３】
また、本実施形態では、サーバ側で投票結果を集計することとしたが、サーバは投票結果をユーザ端末に送信するだけとして、投票結果の集計はユーザ端末で行ってもよい。そして、ユーザ端末は自身で投票結果を集計した集計結果に基づいて編集を行う。
【００５４】
また、本実施形態では、ユーザ端末などの画面の選択ボタンや、参加者端末の投票ボタンなどを用いて説明したが、これらのボタンは説明を簡素にするためのものであった。選択や投票の動作を行うためには、それぞれメニュー表示やマウス動作などの他の動作で行われるようにしてもよい。また、本実施形態では、サーバに対するログイン、ダウンロードやアップロードの手続きは、通常の手順と同様である。
【００５５】
第１、第２の実施形態で示したように、本発明では、音楽データの所在などに自由度があるが、ＢＧＭの選択を、コミュニティによる投票結果を参考にして行うことで、ユーザは容易に適切なＢＧＭの選択を行うことが可能となる。
【００５６】
なお、本発明は、上記実施形態の構成に限られるものではなく、特許請求の範囲で示した機能、または本実施形態の構成が持つ機能が達成できる構成であればどのようなものであっても適用可能である。
【００５７】
例えば、上記実施形態では、サーバ１０１はコミュニティ１０３に参加している全ての参加者端末に対し、画像データおよび音楽候補リストを配信していたが、コミュニティに参加している一部の参加者端末にだけ配信するようにしてもよい。
【００５８】
また、上記実施形態では、コミュニティの参加者が、音楽候補リストの中から画像データに相応しい音楽データを投票する場合を示したが、逆に画像データに相応しくない音楽データを投票するようにしてもよい。この場合、ユーザ端末側では、相応しくない音楽データを考慮し、画像データに添付する音楽データを決定することができる。
【００５９】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６０】
この場合、記憶媒体から読み出されたプログラムコード自体が前述した実施の形態の機能を実現することになり、そのプログラムコード及び該プログラムコードを記憶した記憶媒体は本発明を構成することになる。
【００６１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６３】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６４】
【図１】第１の実施形態における画像音声編集システムの全体構成を示す図である。
【図２】画像音声編集手順を示すフローチャートである。
【図３】画像データをアップロードする用意が整った場合のユーザ端末の表示画面を示す図である。
【図４】画像データと音楽候補リストが表示された参加者端末の表示画面を示す図である。
【図５】音楽候補リストの中から１つの音楽データを選び出して投票する際の参加者端末の表示画面を示す図である。
【図６】受領した投票結果を表示した場合のユーザ端末１０２の表示画面を示す図である。
【図７】音楽候補リストが投票結果順に並べられた場合のユーザ端末１０２の表示画面を示す図である。
【図８】第２の実施形態における画像音声編集システムの全体構成を示す図である。
【図９】画像音声編集手順を示すフローチャートである。
【図１０】画像データをアップロードする用意が整った場合のユーザ端末の表示画面を示す図である。
【符号の説明】
【００６５】
１０１、２０１  サーバ
１０２、２０２  ユーザ端末
１０３  コミュニティ
１０７  音楽（音声）データ
１０４、１０５、１０６  参加者端末
【図１】
2009296540.tif 000003
【図２】
2009296540.tif 000004
【図３】
2009296540.tif 000005
【図４】
2009296540.tif 000006
【図５】
2009296540.tif 000007
【図６】
2009296540.tif 000008
【図７】
2009296540.tif 000009
【図８】
2009296540.tif 000010
【図９】
2009296540.tif 000011
【図１０】
2009296540.tif 000012